(57)【要約】      （修正有）【課題】通常郵便の定型の寸法及び重量内に収まり、収納物がぐらつかず、開封後に収納具として使用可能な光ディスク収納ブリスターを提供する。  【解決手段】ＣＤ、ＤＶＤ等の光ディスクを収納する円筒状の収納凹部が形成されるとともに、収納凹部の中央に光ディスクの中心穴へ嵌合する固定凸部を有する平面視略々矩形状の透明または半透明の合成樹脂シートからなる収納部材と、収納凹部に対面して光ディスクを密閉する厚紙状の台紙とを備え、収納凹部の端部が収納部材の端部と略々一致し、収納部材の外周には台紙を保持するための係止片が内側へ折り返されて形成されてなる。【選択図】図１
0003109664.tif 000002
【実用新案登録請求の範囲】
【請求項１】
ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周には前記台紙を保持するための係止片が内側へ折り返されて形成されてなる光ディスク収納ブリスター。
【請求項２】
ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉するための冊子もしくは折畳まれた紙片からなる台紙とを備え、前記収納凹部の端部が前記収納部材の端部と略々一致し、前記収納部材の外周には前記台紙を保持するための係止片が内側へ折り返されて形成されてなる光ディスク収納ブリスター。
【請求項３】
ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周のうち相対する長辺と一方の短辺とには前記台紙を保持するための係止片が内側へ折り返されて形成され、前記係止片を形成しない他方の短辺から台紙がスライド自在に抜き差しされる光ディスク収納ブリスター。
【請求項４】
ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周のうち相対する長辺と相対する短辺とには前記台紙を保持するための係止片が内側へ折り返されて形成される光ディスク収納ブリスター。
【請求項５】
ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周には前記台紙を保持するための係止片が内側へ折り返されて形成され、前記収納凹部の側面が傾斜して前記収納凹部の径が深さ方向に徐々に小さくなるように形成されるとともに深さ方向の途中位置で光ディスクの径と一致してなる光ディスク収納ブリスター。
【請求項６】
ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周には前記台紙を保持するための係止片が内側へ折り返されて形成され、矩形状の収納部材の角部が丸く形成された光ディスク収納ブリスター。
【請求項７】
ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周には前記台紙を保持するための係止片が内側へ折り返されて形成され、収納凹部の深さが１．５〜１０ｍｍである光ディスク収納ブリスター。
【考案の詳細な説明】
【技術分野】
【０００１】
本考案は、ＣＤ、ＤＶＤ等の光ディスクを収納する光ディスク収納ブリスターに関する。
【背景技術】
【０００２】
小物などを郵送する際に、梱包等をせずにブリスターケースを用いて手軽に郵送する方法が提案されている。例えば、実開平６−５４５０３号公報には、郵送したい小物をブリスターケースに収納し、宛名、差出人等を記載した台紙を接着して郵送を行うブリスターパッケージが記載されている。
【０００３】
また、記憶媒体として最も流通しているＣＤ、ＤＶＤ等の光ディスクを収納可能なブリスターケースについても提案されている。例えば、特開２００２−１９３３２４号公報には、ＣＤ−ＲＯＭが収められたＣＤケースをフランジが形成されたブリスターケースに収納して台紙を接着することにより密閉したブリスターパッケージについて記載されている。このようなブリスターパッケージを郵送する場合には、光ディスクの径が１２ｃｍであり通常郵便の定型の最大幅と等しいので、フランジの幅や収納の際の遊び等を考慮すると、通常郵便の定型寸法（長さ１４〜２３．５ｃｍ、幅９〜１２ｃｍの長方形）内に収まらず、郵送料が高くなってしまうという問題があった。
【０００４】
さらに上記のブリスターパッケージでは、ＣＤ−ＲＯＭをＣＤケースに入れた上でブリスターケースに収納しているので、重量の点でも郵送料を少なく抑えることは困難である。
【０００５】
そこで、寸法・重量を考慮し、光ディスクを剥き出しのままで、あるいは薄い袋に入れて、上記ブリスターパッケージにおいて収納の際の糊代や遊びをカットする等して定型サイズ内に収めることも考えられるが、この場合は、光ディスクがケース内でぐらつき破損し兼ねないという問題がある。
【０００６】
それに加えて、上述の従来公報では、いずれも収納の際にブリスターケースに台紙を接着しているので、一度開封してしまうと収納具としての機能が失われてしまうため、光ディスクを予めケースに入れておくか、あるいは、収納されていた光ディスクを別の保管用ケースに移し替えて保管しなければならないという問題がある。
【特許文献１】実開平６−５４５０３号公報
【特許文献２】特開２００２−１９３３２４号公報
【考案の開示】
【考案が解決しようとする課題】
【０００７】
そこで、本考案では、上記の問題を鑑み、通常郵便の定型の寸法及び重量内に収まり、収納物がぐらつかないように固定しつつ収納物を十分に保護し、開封後にも収納具として使用可能な光ディスク収納ブリスターを提供することを目的とする。
【課題を解決するための手段】
【０００８】
上記課題を解決するために、本考案に係る光ディスク収納ブリスターは、以下に記載の手段を採用する。
【０００９】
請求項１では、ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周には前記台紙を保持するための係止片が内側へ折り返されて形成されてなることを特徴とする。
【００１０】
この手段では、収納部材の短辺が収納物である光ディスクの径と等しくなり、全体が通常郵便の定型寸法内に形成されつつ光ディスクが固定される。
【００１１】
また、収納部材の収納凹部に光ディスクが収納され、台紙が収納部材に設けられた係止片と収納部材との間に差し込まれてその収納凹部が密閉されるため、糊付けの必要がなく、開封後も光ディスクの収納具ケースして継続使用される。
【００１２】
請求項２では、ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉するための冊子もしくは折畳まれた紙片からなる台紙とを備え、前記収納凹部の端部が前記収納部材の端部と略々一致し、前記収納部材の外周には前記台紙を保持するための係止片が内側へ折り返されて形成されてなることを特徴とする。
【００１３】
この手段では、請求項１の作用に加えて、光ディスクに添付される視認可能な情報量が増加する。
【００１４】
請求項３では、ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周のうち相対する長辺と一方の短辺とには前記台紙を保持するための係止片が内側へ折り返されて形成され、前記係止片を形成しない他方の短辺から台紙がスライド自在に抜き差しされることを特徴とする。
【００１５】
この手段では、収納部材の係止片が設けられていない辺から台紙を抜き差しすることにより、光ディスクの出し入れ、収納、保管が容易に行える。また、係止されていない辺が短辺であるため、台紙のぐらつきが防止される。
【００１６】
請求項４では、ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周のうち相対する長辺と相対する短辺とには前記台紙を保持するための係止片が内側へ折り返されて形成されることを特徴とする。
【００１７】
この手段では、光ディスクの収納時に振動等による台紙の不本意な開放が防止される。
【００１８】
請求項５では、ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周には前記台紙を保持するための係止片が内側へ折り返されて形成され、前記収納凹部の側面が傾斜して前記収納凹部の径が深さ方向に徐々に小さくなるように形成されるとともに深さ方向の途中位置で光ディスクの径と一致してなることを特徴とする。
【００１９】
この手段では、光ディスクが収納凹部内の底面及び台紙に接触せずに、収納凹部の底面と平行に収納される。
【００２０】
請求項６では、ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周には前記台紙を保持するための係止片が内側へ折り返されて形成され、矩形状の収納部材の角部が丸く形成されたことを特徴とする。
【００２１】
この手段では、収納部材の角部が補強される。また、角部に尖がりがないため取り扱い易くなる。
【００２２】
請求項７では、ＣＤ、ＤＶＤ等の光ディスクを収納する円筒状の収納凹部が形成されるとともに、前記収納凹部の中央に前記光ディスクの中心穴へ嵌合する固定凸部を有する平面視略々矩形状の透明または半透明の合成樹脂シートからなる収納部材と、前記収納凹部に対面して光ディスクを密閉する厚紙状の台紙とを備え、前記収納凹部の端部が前記収納部材の端部と略々一致し、前記収納部材の外周には前記台紙を保持するための係止片が内側へ折り返されて形成され、収納凹部の深さが１．５〜１０ｍｍであることを特徴とする。
【００２３】
この手段では、単数枚または複数枚の光ディスクを収納することができる。
【考案の効果】
【００２４】
収納部材の短辺が通常郵便の定型の最大幅である光ディスクの径と等しく形成されるため、光ディスク収納ブリスターを封筒に入れずに剥き出しの状態で、あるいは封筒に入れた状態で、通常郵便の定型としての郵送が可能となる。
【００２５】
また、収納の際に糊付け等の接着を行わないため、一旦開封した後にも光ディスクの保管ケースとして繰り返し使用することができる。
【００２６】
さらに、光ディスクの中央穴が固定凸部に確実に嵌まるため、光ディスクの抜け落ち及びぐらつきが防止され、光ディスクが十分に保護される。
【考案を実施するための最良の形態】
【００２７】
以下、本考案に係る光ディスク収納ブリスターを実施するための最良の形態を図面に基づいて説明する。図１〜図８は、本考案に係る収納ケースを実施するための最良の形態の第１例を示すものである。
【００２８】
第１例は、光ディスクＤが収納される収納部材２と、収納された光ディスクＤを密閉する台紙３とによりなる光ディスク収納ブリスター１である。
【００２９】
収納部材２は、ＰＥＴ、ポリプロピレン等の合成樹脂からなる平面視略々矩形状のシート２１からなる。本実施例では、シート２１の素材として、透明性、成形性、柔軟性等を考慮して、厚さ０．２〜０．３ｍｍのＰＥＴを用いている。
【００３０】
図２に示すように、収納部材２のシート２１には、光ディスクＤが収納される収納凹部２２が台紙３と対面する内面２１１側のほぼ中央部に設けられている。収納凹部２２は、真空成形により側面２２１、底面２２２を有する円筒状に形成されている。このとき、収納凹部２２の径は光ディスクＤの径Ｄｄとほぼ等しく形成されている。
【００３１】
収納部材２の収納凹部２２の中央には、光ディスクＤを係止する固定凸部２３が設けられている。固定凸部２３は、収納凹部２２の底面２２２に収納凹部２２と同軸であり側面２３１、底面２３２を有する円筒状に形成され、光ディスクＤの中央穴Ｄｈの径よりやや小さいがほぼ等しい径を有し、収納部材２の内面２１１側に突出するように真空成形により形成されている。
【００３２】
収納部材２のシート２１の外周上には立上り部２４１、折返し片２４２よりなる内側へ折り返された係止片２２が、長辺２１２の双方及び短辺２１３の一方に設けられている。立上り部２４１は、台紙３の厚さとほぼ等しい高さになるように立ち上がっている。
【００３３】
なお、収納部材２のシート２１の角部２１５は、補強のために、あるいは扱い易さを考慮して、丸く形成されている。
【００３４】
また、収納部材２には係止片２２が設けられていない短辺２１３付近に吊下げ孔２５が設けられ、紐、金具等を通すことにより光ディスク収納ブリスター１の吊り下げが可能となっている。
【００３５】
図３に示すように、台紙３は、収納部材２のシート２１とほぼ同寸法の矩形状の厚紙３１により形成されている。
【００３６】
台紙３は、収納部材２の短辺２１３の係止片２２が設けられていない辺の側から、収納部材２の内面２１１と台紙３の厚紙３１の内面３１３とを平行に対面させた状態で、係止片２２とシート２１との間にスライドしながら差込みされ、収納凹部２２の密閉及び開放を行う。このとき、台紙３の厚紙３１と収納部材２のシート２１とはほぼ同寸法に設計されているので、両者はぴったり重なり合って確実に光ディスクＤを収納することができる。
【００３７】
なお、収納部材２と同様に、台紙３の厚紙３１の角部３１６は、補強のために、あるいは扱い易さを考慮して丸く形成されている。
【００３８】
また、台紙３を収納部材２に完全に差し込んだ状態で、台紙３の厚紙３１の、収納部材２の吊下げ孔２５と重なる位置及び形状に、吊下げ孔３１５が設けられている。これにより、光ディスク収納ブリスター１を光ディスクＤが収納された状態で吊り下げることができる。
【００３９】
図４、図５に、光ディスク収納ブリスター１の断面図を示している。収納凹部２２の深さＨは光ディスクＤの厚さより厚く形成されている。なお、深さＨは、光ディスクＤの厚さ及び通常郵便の定型寸法（厚さ１ｃｍまで）を考慮して、１．５〜１０ｍｍにするのが望ましい。
【００４０】
また、収納凹部２２の側面２２１は収納凹部２２の深さＨに伴って径が小さくなるように微小に傾斜しており、深さＨ方向の中央付近において光ディスクＤの径Ｄｄとほぼ等しくなるように設計されている。よって、光ディスクＤは、収納凹部２２に嵌め込まれた際に収納凹部２２の深さＨ方向における中央付近で係止されるため、収納凹部２２の底面２２２及び台紙３に接触せず、且つ収納凹部２２内において光ディスクＤ全体が底面２２２と平行に収まった状態で保持される。
【００４１】
なお、上述のように収納凹部２２の径を収納凹部２２の深さＨ’方向の中央付近において光ディスクＤの径Ｄｄと等しくすると、収納凹部２２の側面２２１の長辺２１３側に位置する端部２２３の、収納凹部２２の径が光ディスクＤの径Ｄｄより大きい部分が、長辺２１３から円弧状に若干突出した形状となる。しかし、光ディスクＤの収納時には収納凹部２２の端部２２３は光ディスクＤの形状に沿って柔軟に湾曲するので、全体として通常郵便の定型寸法内に収まる。
【００４２】
また、厚紙３１の短辺３１２の長さＷ３は光ディスクＤの径Ｄｄとほぼ等しく形成され、収納部材２の短辺２１３の長さＷ２は厳密にはそれよりシート２１の厚さの分だけ大きく形成されている。しかし、このシート２１の厚さは、光ディスクＤの径Ｄｄに対して１／６００〜１／４００程度であり、光ディスク収納ブリスター１全体の寸法に対してほとんど影響を与えない。
【００４３】
固定凸部２３の底面２３２の直径は約１．５ｃｍ（光ディスクＤの中央穴Ｄｈの直径に対応）、深さＨは約５ｍｍに形成されているため、収納部材２の外面２１２側から指先を固定凸部２３内に挿入することができる。よって、光ディスクの取り出しの際に、固定凸部２３を支点として収納部材２を婉曲させることにより、光ディスクの出し入れを容易に行うことができる。
【００４４】
また、固定凸部２３の側面２３１は、シート２１及び底面２３２に対して垂直に設けられても、深さＨ’に伴って径が小さくなるように微小に傾斜して設けられてもよい。あるいは、光ディスクＤの抜け防止のためや、光ディスクＤの収納時における深さＨ方向の正確な停止位置の位置決めのために、あるいは光ディスクＤの着脱感を得るために、固定凸部２３を側面がくびれた鼓状に設けてもよい。
【００４５】
図６、図７に、光ディスク収納ブリスター１の正面図、背面図を示している。収納部材２の短辺２１４の長さと光ディスクＤの径Ｄｄ、固定凸部２３の径と光ディスクＤの中央穴Ｄｈの径、台紙３の外形と収納部材２の外形、が等しく形成され、光ディスクＤは光ディスク収納ブリスター１に確実に固定されて保持される。
【００４６】
第１例では、図８に示すように、光ディスク収納ブリスター１を通常郵便の定型寸法の封筒Ｅに入れて郵送することができる。なお、図８は他図に対して縮小されたものを示している。
【００４７】
あるいは、係止片２２が設けられていない辺をステープラや粘着テープで留める等して、光ディスク収納ブリスター１を封筒に封入せずに剥き出しの状態で郵送することも可能である。
【００４８】
また、図９に示すように、光ディスク収納ブリスター１の収納部材２において、指先が挿入可能な程度の大きさの指掛凹部２６を、収納凹部２２に隣接させて、収納凹部２２と連続するように形成することにより、光ディスクＤを取り出す際に指先で光ディスクＤの外周部を持ち上げて引き出すことが可能となる。
【００４９】
また、図１０に示すように、光ディスク収納ブリスター１において、収納凹部２２と別個に付属物収納凹部２７を設けることにより、光ディスクＤに対して付属物Ｓを添付させることができる。なお、この付属物収納凹部２７は、付属物Ｓの形状に合わせて自在に設定できる。特に、付属物Ｓが冊子のような薄い形状のものである場合、収納凹部２２と付属物収納凹部２７とを、それぞれの深さの違いにより段差を形成するように重ね合わせて形成し、光ディスクＤと付属物Ｓとを重ねて収納するようにしてもよい。
【００５０】
また、光ディスク収納ブリスター１の収納部材２に、光ディスクＤのタイトル等の文字や会社のロゴ等の絵柄を立体的に形成することにより、収納物を判別しやすくしたり、外観を向上させたりすることができる。
【００５１】
第１例によると、収納する際に糊付け等の接着を行わずに台紙３をスライド自在に差し込むことにより収納凹部を密閉しているので、一旦開封した後でも保管ケースとして繰り返し使用することができる。
【００５２】
また、光ディスクＤが収納凹部２２に嵌め込まれた際に、固定凸部２３の径が光ディスクＤの中央穴Ｄｈの径と略々等しいので、光ディスクＤは収納凹部２２に確実に嵌まるため、揺す振られた際に光ディスクＤがぐらつくことはない。
【００５３】
さらに、収納部材２の素材は透明性を有しているので、収納物である光ディスクＤを収納ブリスター越しに視認することができる。
【００５４】
次に、本考案の第２例を図１１に基づき説明する。第２例は、第１例とほぼ同様の収納部材２’と台紙３とにより構成される光ディスク収納ブリスター１Ａである。
【００５５】
図１１に示すように、収納部材２’は第１例の収納部材２とほぼ同様に形成されているが、係止片２４が収納部材２’の長辺２１３の双方、及び短辺２１４の双方、すなわち全辺に設けられている。また、台紙３は第１例のものと同様のものを用いている。
【００５６】
第２例によると、台紙３は係止片２２により四方から係止されているため、激しく揺す振られても収納部材２’から台紙３が外れてしまうことがなく、収納ブリスターを封筒に封入していない剥き出しの状態でも安心して郵送することができる。その際、台紙３の厚紙３１の外面３１４に宛先、差出人等の情報を印刷したり、それらの情報が表示されたシールを貼付したりすることにより、郵送を行う。またこのとき、収納部材２’の外面２１２に前記のシールを貼付してもよい。
【００５７】
また、係止片２４は、第１例、第２例の箇所に設けられる場合に限らない。厚紙３１が係止可能であれば、係止片２４の位置、個数を自由に設定してよい。
【００５８】
次に、本考案の第３例を図１２に基づき説明する。第３例は、収納部材２、台紙３’とにより構成される光ディスク収納ブリスター１Ｂである。
【００５９】
第３例では、図１２に示されるように、第１例と同様の収納部材２を用いている。なお、吊下げ孔２５は設けられていない。また、台紙３’は第１例及び第２例に用いた台紙３と同様な形状を有する複数枚の紙片からなる冊子３２により形成されている。なお、図１２において冊子３２の角部を折り曲げて描いているが、これは台紙３’が冊子であることをわかりやすくするためであり、通常は折り曲げずに使用することは無論である。
【００６０】
第３例によると、光ディスク収納ブリスター１Ｂにより多くの視認可能な情報を貼付することが可能となる。また、台紙３’は折り畳まれた紙片でもよい。
【００６１】
さらに、第１〜３例の収納部材２、２’の収納凹部２２の深さＨを深くすることにより、複数枚の光ディスクＤを収納することができる。このとき、収納凹部２２の深さＨは、光ディスクＤの厚さ及び通常郵便の定型寸法（厚さ１ｃｍまで）を考慮して、３〜１０ｍｍ程度にするのが望ましい。なお、光ディスクＤが２枚収納された光ディスク収納ブリスターであっても、収納部材２及び台紙３の厚さ（重量）を調整することにより、全重量を通常郵便の定型の最大重量（５０ｇ）以内に収めることができる。
【図面の簡単な説明】
【００６２】
【図１】本考案に係る光ディスク収納ブリスターの実施の形態の第１例を示す斜視図である。
【図２】本考案に係る光ディスク収納ブリスターの実施の形態の第１例の光ディスク出入れ時の状態を示す斜視図である
【図３】本考案に係る光ディスク収納ブリスターの実施の形態の第１例の台紙開閉時の状態を示す斜視図である
【図４】図１のＸ方向断面図である
【図５】図１のＹ方向断面図である
【図６】図１の正面図である
【図７】図１の背面図である
【図８】本考案に係る光ディスク収納ブリスターの実施の形態の第１例の封筒収納状態を示す斜視図である。
【図９】本考案に係る光ディスク収納ブリスターの実施の形態の第１例において指掛凹部を設けた光ディスク収納ブリスターを示す斜視図である。
【図１０】本考案に係る光ディスク収納ブリスターの実施の形態の第１例において付属物収納凹部を設けた光ディスク収納ブリスターを示す斜視図である。
【図１１】本考案に係る光ディスク収納ブリスターの実施の形態の第２例を示す斜視図である。
【図１２】本考案に係る光ディスク収納ブリスターの実施の形態の第３例を示す斜視図である。
【符号の説明】
【００６３】
１、１Ａ、１Ｂ    光ディスク収納ブリスター
２、２’      収納部材
２１          シート
２１１        内面
２１２        外面
２１３        長辺
２１４        短辺
２１５        角部
２２          収納凹部
２２１        側面
２２２        底面
２２３        端部
２３          固定凸部
２３１        側面
２３２        底面
２４          係止片
２４１        立上り部
２４２        折返し片
２５          吊下げ孔
２６          指掛凹部
２７          付属物収納凹部
３、３’      台紙
３１          厚紙
３１１        内面
３１２        外面
３１３        長辺
３１４        短辺
３１５        吊下げ孔
３１６        角部
３２          冊子
Ｄ            光ディスク
Ｄｄ          光ディスクの径
Ｄｈ          光ディスクの中央穴
Ｅ            封筒
Ｈ            収納凹部の深さ
Ｈ’          固定凸部の深さ
Ｓ            付属物
Ｗ２          収納部材の短辺の長さ
Ｗ３          台紙の短辺の長さ
【図１】
0003109664.tif 000003
【図２】
0003109664.tif 000004
【図３】
0003109664.tif 000005
【図４】
0003109664.tif 000006
【図５】
0003109664.tif 000007
【図６】
0003109664.tif 000008
【図７】
0003109664.tif 000009
【図８】
0003109664.tif 000010
【図９】
0003109664.tif 000011
【図１０】
0003109664.tif 000012
【図１１】
0003109664.tif 000013
【図１２】
0003109664.tif 000014